(57)【要約】【課題】吸気口において、屋外で強い風が吹いたときは、外風圧により開閉状態が安定しないという課題があった。【解決手段】下端を支点３０にして上方向へ閉じ、屋外側へ向けて開く複数の板３１を設けて外気を取り入れる吸気口１の開閉を行うルーバー型電動シャッター２と、その開閉動作を行うソレノイド３と前記ソレノイド３を制御する制御手段４を外風に影響されることなく電気的にルーバー型電動シャッター２をソレノイド３により開または閉状態にし屋外の空気を室内に供給する吸気口を提供することができる。【選択図】図１
2009144965.tif 000002
【特許請求の範囲】
【請求項１】
下端を支点にして上方向へ閉じ、屋外側へ向けて開く複数の板を設けて外気を取り入れる吸気口の開閉を行うルーバー型電動シャッターと、その開閉動作を行うソレノイドと前記ソレノイドを制御する制御手段を設けたことを特徴とする吸気口。
【請求項２】
ルーバー型電動シャッターの開または閉の状態に対応して電源が供給される端子台を設け、前記ルーバー型電動シャッターの開のときは電源を供給し、前記ルーバー型電動シャッターの閉のときは電源が遮断される端子台を備え、前記端子台に換気装置を接続することにより前記ルーバー型電動シャッターの開または閉に連動させて前記換気装置を制御することを特徴とした請求項１記載の吸気口。
【請求項３】
ルーバー型電動シャッターの室内と屋外との空気の圧力差を検出する差圧センサーを設け、差圧センサーの値により自動的に前記ルーバー型電動シャッターを開または閉状態にすることを特徴とした請求項１および２に記載の吸気口。
【請求項４】
吸気口に室内側の温度を検出する室内温度センサーを設け、室内温度が所定の温度以上になるとルーバー型電動シャッターを開にし、室内温度が所定の温度以下になるとルーバー型電動シャッターを閉にすることを特徴とした請求項２および３記載の吸気口。
【請求項５】
吸気口に人感センサーを設け、人を検出することによりルーバー型電動シャッターを開にし、人を非検出すると閉にすることを特徴とした請求項２および３記載の吸気口。
【請求項６】
吸気口に室内側のアンモニアを検出できる位置に室内アンモニアセンサーを設け、所定のアンモニアの濃度以上になるとルーバー型電動シャッターを開にし、所定のアンモニアの濃度以下になると閉にすることを特徴とした請求項２および３記載の吸気口。
【請求項７】
吸気口に室内側の煙を検出できる位置に室内煙センサーを設け、所定の煙の濃度以上になるとルーバー型電動シャッターを開にし、所定の煙の濃度以下になると閉にすることを特徴とした請求項２および３記載の吸気口。
【請求項８】
吸気口に室内側の二酸化炭素を検出できる位置に室内二酸化炭素センサーを設け、所定の二酸化炭素の濃度以上になるとルーバー型電動シャッターを開にし、所定の二酸化炭素の濃度以下になる閉にすることを特徴とした請求項２および３記載の吸気口。
【請求項９】
吸気口に室内側の一酸化炭素を検出できる位置に室内一酸化炭素センサーを設け、所定の一酸化炭素の濃度以上になるとルーバー型電動シャッターを開にし、所定の一酸化炭素の濃度以下になると閉にすることを特徴とした請求項２および３記載の吸気口。
【請求項１０】
吸気口に室内側のホルムアルデヒドを検出できる位置に室内ＶＯＣセンサーを設け、所定のホルムアルデヒドの濃度以上になるとルーバー型電動シャッターを開にし、所定のホルムアルデヒドの濃度以下になると閉にすることができることを特徴とした請求項２および３記載の吸気口。
【請求項１１】
吸気口に室内側の粉塵を検出できる位置に室内粉塵センサーを設け、所定の粉塵以上の濃度になるとルーバー型電動シャッターを開にし、所定の粉塵濃度以下になると閉にすることを特徴とした請求項２および３記載の吸気口。
【請求項１２】
吸気口に室内側の湿度を検出できる位置に室内湿度センサーを設け、所定の湿度以上になるとルーバー型電動シャッターを開にし、所定の湿度以下になると閉にすることを特徴とした請求項２および３記載の吸気口。
【請求項１３】
吸気口に室内側の可燃性ガスを検出できる位置に室内可燃性ガスセンサーを設け、所定の可燃性ガス濃度以上になるとルーバー型電動シャッターを開にし、所定の可燃性ガス濃度以下になると閉にすることを特徴とした請求項２および３記載の吸気口。
【請求項１４】
吸気口に屋外側の温度を検出できる位置に屋外温度センサーを設け、屋外温度が所定の温度以上になるとルーバー型電動シャッターを開閉ことを特徴とした請求項２記載の吸気口。
【請求項１５】
吸気口に屋外側のアンモニアを検出できる位置に屋外アンモニアセンサーを設け、屋外のアンモニア濃度が所定のアンモニアの濃度以上になるとルーバー型電動シャッターを閉にし、所定のアンモニアの濃度以下になると開することを特徴とした請求項２および３記載の吸気口。
【請求項１６】
吸気口に屋外側の煙を検出できる位置に煙を検出する屋外煙センサーを設け、屋外の煙濃度が所定の煙濃度以上になるとルーバー型電動シャッターを閉にし、所定の煙濃度以下になると開することを特徴とした請求項２および３記載の吸気口。
【請求項１７】
吸気口に屋外側の二酸化炭素を検出できる位置に二酸化炭素を検出する屋外二酸化炭素センサーを設け、屋外の二酸化炭素濃度が所定の二酸化炭素の濃度以上になるとルーバー型電動シャッターを閉にし、所定の二酸化炭素の濃度以下になると開することを特徴とした請求項２および３記載の吸気口。
【請求項１８】
吸気口に屋外側の一酸化炭素を検出できる位置に一酸化炭素を検出する屋外一酸化炭素センサーを設け、屋外の一酸化炭素濃度が所定の一酸化炭素濃度以上になるとルーバー型電動シャッターを閉にし、所定の一酸化炭素濃度以下になると開することを特徴とした請求項２および３記載の吸気口。
【請求項１９】
吸気口に屋外側のホルムアルデヒドを検出できる位置にホルムアルデヒドを検出する屋外ＶＯＣセンサーを設け、屋外のホルムアルデヒド濃度が所定のホルムアルデヒドの濃度以上になるとルーバー型電動シャッターを閉にし、所定のホルムアルデヒドの濃度以下になると開することを特徴とした請求項２および３記載の吸気口。
【請求項２０】
吸気口に屋外側の粉塵を検出できる位置に粉塵を検出する屋外粉塵センサーを設け、屋外の粉塵濃度が所定の粉塵以上の濃度になるとルーバー型電動シャッターを閉にし、所定の粉塵濃度以下になると開することを特徴とした請求項２および３記載の吸気口。
【請求項２１】
吸気口に屋外側の湿度を検出できる位置に湿度を検出する屋外湿度センサーを設け、屋外の湿度が所定の湿度以上になるとルーバー型電動シャッターを閉にし、所定の湿度以下になると開することを特徴とした請求項２および３記載の吸気口。
【請求項２２】
吸気口に屋外側の可燃性ガスを検出できる位置に可燃性ガスを検出する屋外可燃性ガスセンサーを設け、屋外の可燃性ガスが所定の可燃性ガス濃度以上になるとルーバー型電動シャッターを閉にし、所定の可燃性ガス濃度以下になると開することをとした請求項２および３記載の吸気口。
【発明の詳細な説明】
【技術分野】
【０００１】
本発明は、室内の換気を行う吸気口に関するものである。
【背景技術】
【０００２】
従来、この種の吸気口は、住宅の壁面を貫通して、室内の空気を排出する換気装置の建物室内の自然吸気口に広く用いられている。この吸気口の開口部は手動で行っており季節や気温の変化に応じて開口部を調整していた。また、気温の変化に応じて自動開閉する換気装置としては、自動開閉機能が形状記憶合金からなるコイルスプリングを備えたもので、気温の変化に応じて自動的に開口率が変動するものが知られているが気温により開口状態が決まり、換気装置との連動とは無関係の動作になっている（例えば、特許文献１参照）。
【０００３】
以下、その吸気口について図２３を参照しながら説明する。
【０００４】
壁面１０１の室内側と室外側を貫通する円筒形のダクト１０２に吸気枠１０３を設置し、前記吸気枠１０３の上下には開閉羽根１０４を取り付けた回転軸１０５が取り付いている。前記回転軸１０５の下部には周囲温度により前記開閉羽根１０４を開閉する形状記憶合金性コイルスプリング１０６と上部には手動で開閉羽根１０４を開閉ノブ１０７が接続されており前記開閉ノブを左右に移動することにより前記開閉羽根１０４を手動で開閉できる構造となっている。
【特許文献１】特開平１０−０４７７４９号公報
【発明の開示】
【発明が解決しようとする課題】
【０００５】
しかしながらこのような吸気口では、屋外で強い風が吹いたときは、外風圧により開閉状態が安定しないという課題があった。
【０００６】
本発明は、上記課題を解決するもので、外風に影響されることなく電気的にルーバー型電動シャッターをソレノイドにより開または閉状態にし屋外の空気を室内に供給する吸気口を提供することを目的としている。
【０００７】
また、従来の吸気口では、換気装置と連動してシャッターの開閉を行うときは、換気装置からの信号によりシャッターの開閉動作を行うため、電線などの配線工事か必要とされていた。
【０００８】
本発明は、このような従来の課題を解決するものであり、ルーバー型電動シャッターの室内側と屋外側の空気圧を差圧センサーで検出し、差圧が発生しているときは、ルーバー型電動シャッターを開にする吸気口を提供することを目的とする。
【０００９】
また、従来の吸気口では、ルーバー型電動シャッターが開または閉状態と無関係に換気装置は運転または停止しており、ルーバー型電動シャッターが開のときに換気装置が運転し、ルーバー型電動シャッターが閉のときに換気装置が停止することが要求されていた。
【００１０】
本発明は、このような従来の課題を解決するものであり、吸気口に設けた端子台から、ルーバー型電動シャッターが開状態のときは、端子台に商用電源を出力し、ルーバー型電動シャッターが閉状態のときは、商用電源を遮断することができる吸気口を提供することを目的とする。
【００１１】
また、従来の吸気口では、吸気口近くの室内側温度を検出し、所定の温度でルーバー型電動シャッターが開または閉状態となり、開または閉状態に連動して換気装置が運転または停止することが要求されている。
【００１２】
本発明は、このような従来の課題を解決するものであり、室内側の温度が所定の温度以上になるとルーバー型電動シャッターが開になり、室内側の温度が所定の温度以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断することができる吸気口を提供することを目的とする。
【００１３】
また、従来の吸気口では、吸気口に人感センサーを設け室内に在室している人を検出するとルーバー型電動シャッターが開または閉状態となり、開または閉状態に連動して換気装置が運転または停止することが要求されている。
【００１４】
本発明は、このような従来の課題を解決するものであり、室内に人が在室しているとルーバー型電動シャッターが開になり、不在のときはルーバー型電動シャッターが閉にすると共に、吸気口に設けた端子台から、ルーバー型電動シャッターが開状態のときは、端子台に商用電源を出力し、ルーバー型電動シャッターが閉状態のときは、商用電源を遮断することができる吸気口を提供することを目的とする。
【００１５】
また、従来の吸気口では、吸気口近くの室内側のアンモニア濃度を検出し、所定のアンモニア濃度になるとルーバー型電動シャッターが開または閉状態になり、開または閉状態に連動して換気装置が運転または停止することが要求されている。
【００１６】
本発明は、このような従来の課題を解決するものであり、室内側のアンモニア濃度が所定の濃度以上になるとルーバー型電動シャッターが開になり、室内側のアンモニア濃度が所定の濃度以下になるとルーバー型電動シャッターが閉になると共に、吸気口に設けた端子台から、ルーバー型電動シャッターが開状態のときは、端子台に商用電源出力し、ルーバー型電動シャッターが閉状態のときは、商用電源を遮断できる吸気口を提供することを目的とする。
【００１７】
また、従来の吸気口では、吸気口近くの室内側の煙量を検出し、所定の煙量でルーバー型電動シャッターが開または閉状態になり、開または閉状態に連動して換気装置が運転または停止することが要求されている。
【００１８】
本発明は、このような従来の課題を解決するものであり、室内側の煙量が所定の量以上になるとルーバー型電動シャッターが開になり、室内側の煙量が所定の量以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００１９】
また、従来の吸気口では、吸気口近くの室内側の二酸化炭素濃度を検出し、所定の二酸化炭素濃度でルーバー型電動シャッターが開または閉状態になり、開または閉状態に連動して換気装置が運転または停止することが要求されている。
【００２０】
本発明は、このような従来の課題を解決するものであり、室内側の二酸化炭素濃度が所定の濃度以上になるとルーバー型電動シャッターが開になり、室内側の二酸化炭素濃度が所定の濃度以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００２１】
また、従来の吸気口では、吸気口近くの室内側の一酸化炭素濃度を検出し、所定の一酸化炭素濃度でルーバー型電動シャッターが開または閉状態になり、開または閉状態に連動して換気装置が運転または停止することが要求されている。
【００２２】
本発明は、このような従来の課題を解決するものであり、室内側の一酸化炭素濃度が所定の濃度以上になるとルーバー型電動シャッターが開になり、室内側の一酸化炭素濃度が所定の濃度以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００２３】
また、従来の吸気口では、吸気口近くの室内側のホルムアルデヒドを検出し、所定のホルムアルデヒドの量でルーバー型電動シャッターが開または閉状態になり、開または閉状態に連動して換気装置が運転または停止することが要求されている。
【００２４】
本発明は、このような従来の課題を解決するものであり、室内側のホルムアルデヒドの量が所定の量以上になるとルーバー型電動シャッターが開になり、室内側のホルムアルデヒドの量が所定の量以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００２５】
また、従来の吸気口では、吸気口近くの室内側の粉塵量を検出し、所定の粉塵量でルーバー型電動シャッターが開または閉状態になり、開または閉状態に連動して換気装置が運転または停止することが要求されている。
【００２６】
本発明は、このような従来の課題を解決するものであり、室内側の粉塵量が所定の量以上になるとルーバー型電動シャッターが開になり、室内側の粉塵量が所定の量以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００２７】
また、従来の吸気口では、吸気口近くの室内側の湿度を検出し、所定の湿度でルーバー型電動シャッターが開または閉状態になり、開または閉状態に連動して換気装置が運転または停止することが要求されている。
【００２８】
本発明は、このような従来の課題を解決するものであり、室内側の湿度が所定の濃度以上になるとルーバー型電動シャッターが開になり、室内側の湿度が所定の濃度以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００２９】
また、従来の吸気口では、吸気口近くの室内側の可燃性ガスを検出し、所定の可燃性ガス量でルーバー型電動シャッターが開または閉状態になり、開または閉状態に連動して換気装置が運転または停止することが要求されている。
【００３０】
本発明は、このような従来の課題を解決するものであり、室内側の可燃性ガスが所定の量以上になるとルーバー型電動シャッターが開になり、室内側の可燃性ガスが所定の量以下になるとルーバー型電動シャッターが閉になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００３１】
また、従来の吸気口では、吸気口近くの屋外側温度を検出し、所定の温度でルーバー型電動シャッターが開または閉状態になり、開または閉状態に連動して換気装置が停止または運転することが要求されている。
【００３２】
本発明は、このような従来の課題を解決するものであり、屋外側の温度が所定の温度以上になるとルーバー型電動シャッターが閉になり、屋外側の温度が所定の温度以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００３３】
また、従来の吸気口では、吸気口近くの屋外側のアンモニア濃度を検出し、所定のアンモニア濃度でルーバー型電動シャッターが開または閉状態になり、開または閉状態に連動して換気装置が運転または停止することが要求されている。
【００３４】
本発明は、このような従来の課題を解決するものであり、屋外側のアンモニア濃度が所定の濃度以上になるとルーバー型電動シャッターが閉になり、屋外側のアンモニア濃度が所定の濃度以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００３５】
また、従来の吸気口では、吸気口の屋外側の煙量を検出し、所定の煙量でルーバー型電動シャッターが開または閉状態になり、開または閉状態に連動して換気装置が運転または停止することが要求されている。
【００３６】
本発明は、このような従来の課題を解決するものであり、屋外側の煙量が所定の量以上になるとルーバー型電動シャッターが閉になり、屋外側の煙量が所定の量以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００３７】
また、従来の吸気口では、吸気口の屋外側の二酸化炭素濃度を検出し、所定の二酸化炭素濃度でルーバー型電動シャッターが開または閉状態になり、開または閉状態に連動して換気装置が運転または停止することが要求されている。
【００３８】
本発明は、このような従来の課題を解決するものであり、屋外側の二酸化炭素濃度が所定の濃度以上になるとルーバー型電動シャッターが閉になり、屋外側の二酸化炭素濃度が所定の濃度以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００３９】
また、従来の吸気口では、吸気口の屋外側の一酸化炭素濃度を検出し、所定の一酸化炭素濃度でルーバー型電動シャッターが開または閉状態になり、開または閉状態に連動して換気装置が運転または停止することが要求されている。
【００４０】
本発明は、このような従来の課題を解決するものであり、屋外側の一酸化炭素濃度が所定の濃度以上になるとルーバー型電動シャッターが閉になり、屋外側の一酸化炭素濃度が所定の濃度以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００４１】
また、従来の吸気口では、吸気口の屋外側のホルムアルデヒドを検出し、所定のホルムアルデヒドの量でルーバー型電動シャッターが開または閉状態になり、開または閉状態に連動して換気装置が運転または停止することが要求されている。
【００４２】
本発明は、このような従来の課題を解決するものであり、屋外側のホルムアルデヒドの量が所定の量以上になるとルーバー型電動シャッターが閉になり、屋外側のホルムアルデヒドの量が所定の量以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００４３】
また、従来の吸気口では、吸気口の屋外側の粉塵量を検出し、所定の粉塵量でルーバー型電動シャッターが開または閉状態になり、開または閉状態に連動して換気装置が運転または停止することが要求されている。
【００４４】
本発明は、このような従来の課題を解決するものであり、屋外側の粉塵量が所定の量以上になるとルーバー型電動シャッターが閉になり、屋外側の粉塵量が所定の量以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００４５】
また、従来の吸気口では、吸気口の屋外側の湿度を検出し、所定の湿度でルーバー型電動シャッターが開または閉状態になり、開または閉状態に連動して換気装置が運転または停止することが要求されている。
【００４６】
本発明は、このような従来の課題を解決するものであり、屋外側の湿度が所定の濃度以上になるとルーバー型電動シャッターが閉になり、屋外側の湿度が所定の濃度以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【００４７】
また、従来の吸気口では、吸気口の屋外側の可燃性ガスを検出し、所定の可燃性ガス量でルーバー型電動シャッターが開または閉状態になり、開または閉状態に連動して換気装置が運転または停止することが要求されている。
【００４８】
本発明は、このような従来の課題を解決するものであり、屋外側の可燃性ガスが所定の量以上になるとルーバー型電動シャッターが閉になり、屋外側の可燃性ガスが所定の量以下になるとルーバー型電動シャッターが開になると共に、吸気口に設けた端子台から、ルーバー型電動シャッターが開状態のときは、端子台に商用電源を出力し、ルーバー型電動シャッターが閉状態のときは、商用電源を遮断できる吸気口を提供することを目的とする。
【課題を解決するための手段】
【００４９】
本発明の吸気口は上記目的を達成するために、下端を支点にして上方向へ閉じ、屋外側へ向けて開く複数の板を設けて外気を取り入れる吸気口の開閉を行うルーバー型電動シャッターと、その開閉動作を行うソレノイドと前記ソレノイドを制御する制御手段を設けたものである。
【００５０】
この手段により外風の影響を受けずにソレノイドでルーバー型電動シャッターの開または閉を行うことができる。
【００５１】
また、本発明は、ルーバー型電動シャッターの開または閉の状態に対応して電源が供給される端子台を設け、前記ルーバー型電動シャッターの開のときは電源を供給し、前記ルーバー型電動シャッターの閉のときは電源が遮断される端子台を備え、前記端子台に換気装置を接続することにより前記ルーバー型電動シャッターの開または閉に連動させて前記換気装置を制御することを特徴としたものである。
【００５２】
この手段により、吸気口に設けた端子台に換気装置を接続することによりルーバー型電動シャッターの開または閉状態に連動した換気装置を制御することができる。
【００５３】
また、本発明は、ルーバー型電動シャッターの室内と屋外との空気の圧力差を検出する差圧センサーを設け、差圧センサーの値により自動的に前記ルーバー型電動シャッターを開または閉状態にすることを特徴としたものである。
【００５４】
この手段により、ルーバー型電動シャッターの開閉を外部からの信号または電源供給で開閉することなく、自動的にルーバー型電動シャッターを開または閉することができる。
【００５５】
また、本発明は、吸気口の室内側に室内温度センサーを設け、室内温度によりルーバー型電動シャッターを開または閉にすると共に、ルーバー型電動シャッターの開または閉状態により、吸気口に設けた端子台から、商用電源を供給または遮断するものである。
【００５６】
この手段により、室内の温度が所定の温度以上になると、ルーバー型電動シャッターを開にし、吸気口に設けた端子台に換気装置を接続することによりルーバー型電動シャッターの開または閉状態に連動した換気装置を制御することができる。
【００５７】
また、本発明は、吸気口の室内側に人感センサーを設け、室内に人が在室しているかを検出し、在室のときはルーバー型電動シャッターを開にし、不在のときは閉にすると共に、ルーバー型電動シャッターの開閉状態により、吸気口に設けた端子台から、商用電源を供給または遮断するものである。
【００５８】
この手段により、室内に人が在室していることを検出すると、ルーバー型電動シャッターを開にし、吸気口に設けた端子台に換気装置を接続することによりルーバー型電動シャッターの開または閉状態に連動した換気装置を制御することができる。
【００５９】
また、本発明は、吸気口の室内側に室内アンモニアセンサーを設け、室内のアンモニア濃度によりルーバー型電動シャッターを開または閉にすると共に、ルーバー型電動シャッターの開または閉状態により、吸気口に設けた端子台から、商用電源を供給または遮断するものである。
【００６０】
この手段により、室内のアンモニア濃度が所定の濃度になると、ルーバー型電動シャッターを開にし、吸気口に設けた端子台に換気装置を接続することによりルーバー型電動シャッターの開または閉状態に連動した換気装置を制御することができる。
【００６１】
また、本発明は、吸気口の室内側に室内煙センサーを設け、室内の煙量によりルーバー型電動シャッターを開または閉にすると共に、ルーバー型電動シャッターの開閉状態により、吸気口に設けた端子台から、商用電源を供給または遮断するものである。
【００６２】
この手段により、室内の煙量が所定の量になると、ルーバー型電動シャッターを開にし、吸気口に設けた端子台に換気装置を接続することによりルーバー型電動シャッターの開または閉状態に連動した換気装置を制御することができる。
【００６３】
また、本発明は、吸気口の室内側に室内二酸化炭素センサーを設け、室内の二酸化炭素量によりルーバー型電動シャッターを開または閉にすると共に、ルーバー型電動シャッターの開または閉状態により、吸気口に設けた端子台から、商用電源を供給または遮断するものである。
【００６４】
この手段により、室内の二酸化炭素濃度が所定の濃度になると、ルーバー型電動シャッターを開にし、吸気口に設けた端子台に換気装置を接続することによりルーバー型電動シャッターの開または閉状態に連動した換気装置を制御することができる。
【００６５】
また、本発明は、吸気口の室内側に室内一酸化炭素センサーを設け、室内の一酸化炭素濃度によりルーバー型電動シャッターを開または閉にすると共に、ルーバー型電動シャッターの開または閉状態により、吸気口に設けた端子台から、商用電源を供給または遮断するものである。
【００６６】
この手段により、室内の一酸化炭素濃度が所定の濃度になると、ルーバー型電動シャッターを開にし、吸気口に設けた端子台に換気装置を接続することによりルーバー型電動シャッターの開または閉状態に連動した換気装置を制御することができる。
【００６７】
また、本発明は、吸気口の室内側に室内ＶＯＣセンサーを設け、室内のホルムアルデヒドの濃度によりルーバー型電動シャッターを開または閉にすると共に、ルーバー型電動シャッターの開または閉状態により、吸気口に設けた端子台から、商用電源を供給または遮断するものである。
【００６８】
この手段により、室内のホルムアルデヒドの濃度が所定の濃度になると、ルーバー型電動シャッターを開にし、吸気口に設けた端子台に換気装置を接続することによりルーバー型電動シャッターの開または閉状態に連動した換気装置を制御することができる。
【００６９】
また、本発明は、吸気口の室内側に室内紛塵センサーを設け、室内の粉塵の量によりルーバー型電動シャッターを開または閉にすると共に、ルーバー型電動シャッターの開閉状態により、吸気口に設けた端子台から、商用電源を供給または遮断するものである。
【００７０】
この手段により、室内の粉塵の量が所定の量になると、ルーバー型電動シャッターを開にし、吸気口に設けた端子台に換気装置を接続することによりルーバー型電動シャッターの開または閉状態に連動した換気装置を制御することができる。
【００７１】
また、本発明は、吸気口の室内側に室内湿度センサーを設け、室内の湿度によりルーバー型電動シャッターを開または閉にすると共に、ルーバー型電動シャッターの開閉状態により、吸気口に設けた端子台から、商用電源を供給または遮断するものである。
【００７２】
この手段により、室内の湿度が所定の湿度になると、ルーバー型電動シャッターを開にし、吸気口に設けた端子台に換気装置を接続することによりルーバー型電動シャッターの開または閉状態に連動した換気装置を制御することができる。
【００７３】
また、本発明は、吸気口の室内側に室内可燃性ガスセンサーを設け、室内の可燃性ガスの量によりルーバー型電動シャッターを開または閉にすると共に、ルーバー型電動シャッターの開閉状態により、吸気口に設けた端子台から、商用電源を供給または遮断するものである。
【００７４】
この手段により、室内の可燃性ガスの濃度が所定の濃度になると、ルーバー型電動シャッターを開にし、吸気口に設けた端子台に換気装置を接続することによりルーバー型電動シャッターの開または閉状態に連動した換気装置を制御することができる。
【００７５】
また、本発明は、吸気口の屋外側に屋外温度センサーを設け、屋外温度によりルーバー型電動シャッターを開または閉にすると共に、ルーバー型電動シャッターの開閉状態により、吸気口に設けた端子台から、商用電源を供給または遮断するものである。
【００７６】
この手段により、屋外の温度が所定の温度以下になると、ルーバー型電動シャッターを閉にし、吸気口に設けた端子台に換気装置を接続することにより換気装置を停止することができる。
【００７７】
また、本発明は、吸気口の屋外側に屋外アンモニアセンサーを設け、屋外のアンモニア濃度によりルーバー型電動シャッターを開または閉にすると共に、ルーバー型電動シャッターの開または閉状態により、吸気口に設けた端子台から、商用電源を供給または遮断するものである。
【００７８】
この手段により、屋外のアンモニア濃度が所定の濃度になると、ルーバー型電動シャッターを開にし、吸気口に設けた端子台に換気装置を接続することによりルーバー型電動シャッターの開または閉状態に連動した換気装置を制御することができる。
【００７９】
また、本発明は、吸気口の屋外側に屋外煙センサーを設け、屋外の煙量によりルーバー型電動シャッターを開または閉にすると共に、ルーバー型電動シャッターの開閉状態により、吸気口に設けた端子台から、商用電源を供給または遮断するものである。
【００８０】
この手段により、屋外の煙量が所定の量になると、ルーバー型電動シャッターを開にし、吸気口に設けた端子台に換気装置を接続することによりルーバー型電動シャッターの開または閉状態に連動した換気装置を制御することができる。
【００８１】
また、本発明は、吸気口の屋外側に屋外二酸化炭素センサーを設け、屋外の二酸化炭素濃度によりルーバー型電動シャッターを開または閉にすると共に、ルーバー型電動シャッターの開または閉状態により、吸気口に設けた端子台から、商用電源を供給または遮断するものである。
【００８２】
この手段により、屋外の二酸化炭素濃度が所定の濃度になると、ルーバー型電動シャッターを開にし、吸気口に設けた端子台に換気装置を接続することによりルーバー型電動シャッターの開または閉状態に連動した換気装置を制御することができる。
【００８３】
また、本発明は、吸気口の屋外側に屋外一酸化炭素センサーを設け、屋外の一酸化炭素濃度によりルーバー型電動シャッターを開または閉にすると共に、ルーバー型電動シャッターの開または閉状態により、吸気口に設けた端子台から、商用電源を供給または遮断するものである。
【００８４】
この手段により、屋外の一酸化炭素濃度が所定の濃度になると、ルーバー型電動シャッターを開にし、吸気口に設けた端子台に換気装置を接続することによりルーバー型電動シャッターの開または閉状態に連動した換気装置を制御することができる。
【００８５】
また、本発明は、吸気口の屋外側に屋外ＶＯＣセンサーを設け、屋外のホルムアルデヒドの濃度によりルーバー型電動シャッターを開または閉にすると共に、ルーバー型電動シャッターの開または閉状態により、吸気口に設けた端子台から、商用電源を供給または遮断するものである。
【００８６】
この手段により、屋外のホルムアルデヒドの濃度が所定の濃度になると、ルーバー型電動シャッターを開にし、吸気口に設けた端子台に換気装置を接続することによりルーバー型電動シャッターの開または閉状態に連動した換気装置を制御することができる。
【００８７】
また、本発明は、吸気口の屋外側に屋外紛塵センサーを設け、屋外の粉塵の量によりルーバー型電動シャッターを開または閉にすると共に、ルーバー型電動シャッターの開または閉状態により、吸気口に設けた端子台から、商用電源を供給または遮断するものである。
【００８８】
この手段により、屋外の粉塵の量が所定の量になると、ルーバー型電動シャッターを開にし、吸気口に設けた端子台に換気装置を接続することによりルーバー型電動シャッターの開または閉状態に連動した換気装置を制御することができる。
【００８９】
また、本発明は、吸気口の屋外側に屋外湿度センサーを設け、屋外の湿度によりルーバー型電動シャッターを開または閉にすると共に、ルーバー型電動シャッターの開または閉状態により、吸気口に設けた端子台から、商用電源を供給または遮断力するものである。
【００９０】
この手段により、屋外の湿度が所定の湿度になると、ルーバー型電動シャッターを開にし、吸気口に設けた端子台に換気装置を接続することによりルーバー型電動シャッターの開または閉状態に連動した換気装置を制御することができる。
【００９１】
また、本発明は、吸気口の屋外側に屋外可燃性ガスセンサーを設け、屋外の可燃性ガスの濃度によりルーバー型電動シャッターを開または閉にすると共に、ルーバー型電動シャッターの開または閉状態により、吸気口に設けた端子台から、商用電源を供給または遮断するものである。
【００９２】
この手段により、屋外の可燃性ガスの濃度が所定の濃度になると、ルーバー型電動シャッターを開にし、吸気口に設けた端子台に換気装置を接続することによりルーバー型電動シャッターの開または閉状態に連動した換気装置を制御することができる。
【発明の効果】
【００９３】
本発明によれば、下端を支点にして上方向へ閉じ、屋外側へ向けて開く複数の板を設けて外気を取り入れる吸気口の開閉を行うルーバー型電動シャッターと、その開閉動作を行うソレノイドと前記ソレノイドを制御する制御手段により、外風に影響することがなくルーバー型電動シャッターを開閉することができる吸気口を提供できる。
【００９４】
また、本発明によれば、吸気口内に設けた差圧センサーにより、室内と屋外との空気の圧力差を検出することによりルーバー型電動シャッターを開閉することができる吸気口を提供できる。
【００９５】
また、本発明によれば、吸気口内に設けたルーバー型電動シャッターの開閉状態に合わせて、吸気口内に設けた端子台に商用電源を供給または遮断し他の換気装置等と連動することができる吸気口を提供できる。
【００９６】
また、本発明によれば、吸気口は室内側に室内温度センサーを設け、室内側の温度を検出し、所定の温度でルーバー型電動シャッターの開または閉すると共に、吸気口内に設けた端子台に商用電源を供給または遮断し他の換気装置等と連動することができる吸気口を提供できる。
【００９７】
また、本発明によれば、吸気口は室内側に室内人感センサーを設け、室内に人が在室しているかまたは不在かを検出し、在室のときはルーバー型電動シャッターの開にし、不在のときは閉すると共に、吸気口内に設けた端子台に商用電源を供給または遮断し他の換気装置と連動することができる吸気口を提供できる。
【００９８】
また、本発明によれば、吸気口は室内側に室内アンモニアセンサーを設け、室内側のアンモニア濃度を検出し、所定のアンモニア濃度以上になるとルーバー型電動シャッターの開にし、所定のアンモニア濃度以下になると閉すると共に、吸気口内に設けた端子台に商用電源を供給または遮断し他の換気装置と連動することができる吸気口を提供できる。
【００９９】
また、本発明によれば、吸気口は室内側に室内煙センサーを設け、室内側の煙量を検出し、所定の煙量以上になるとルーバー型電動シャッターの開にし、所定の煙量以下になると閉すると共に、吸気口内に設けた端子台に商用電源を供給または遮断し他の換気装置と連動することができる吸気口を提供できる。
【０１００】
また、本発明によれば、吸気口は室内側に室内二酸化炭素センサーを設け、室内側の二酸化炭素濃度を検出し、所定の二酸化炭素濃度以上になるとルーバー型電動シャッターの開にし、所定の二酸化炭素濃度以下になると閉すると共に、吸気口内に設けた端子台に商用電源を供給または遮断し他の換気装置と連動することができる吸気口を提供できる。
【０１０１】
また、本発明によれば、吸気口は室内側に室内一酸化炭素センサーを設け、室内側の一酸化炭素濃度を検出し、所定の一酸化炭素濃度以上になるとルーバー型電動シャッターの開にし、所定の一酸化炭素濃度以下になると閉すると共に、吸気口内に設けた端子台に商用電源を供給または遮断し他の換気装置と連動することができる吸気口を提供できる。
【０１０２】
また、本発明によれば、吸気口は室内側に室内ＶＯＣセンサーを設け、室内側のホルムアルデヒド濃度を検出し、所定のホルムアルデヒド濃度以上になるとルーバー型電動シャッターの開にし、所定のホルムアルデヒド濃度以下になると閉すると共に、吸気口内に設けた端子台に商用電源を供給または遮断することができる吸気口を提供できる。
【０１０３】
また、本発明によれば、吸気口は室内側に室内紛塵センサーを設け、室内側の粉塵量を検出し、所定の粉塵量以上になるとルーバー型電動シャッターの開にし、所定の粉塵量以下になると閉すると共に、吸気口内に設けた端子台に商用電源を供給または遮断し他の換気装置と連動することができる吸気口を提供できる。
【０１０４】
また、本発明によれば、吸気口は室内側に室内湿度センサーを設け、室内側の湿度を検出し、所定の湿度以上になるとルーバー型電動シャッターの開にし、所定の湿度以下になると閉すると共に、吸気口内に設けた端子台に商用電源を供給または遮断し他の換気装置と連動することができる吸気口を提供できる。
【０１０５】
また、本発明によれば、吸気口は室内側に室内可燃性ガスセンサーを設け、室内側の可燃性ガス濃度を検出し、所定の可燃性ガス濃度以上になるとルーバー型電動シャッターの開にし、所定の可燃性ガス濃度以下になると閉すると共に、吸気口内に設けた端子台に商用電源を供給または遮断し他の換気装置と連動することができる吸気口を提供できる。
【０１０６】
また、本発明によれば、吸気口は屋外側に屋外温度センサーを設け、屋外側の温度を検出し、所定の温度でルーバー型電動シャッターの開または閉すると共に、吸気口内に設けた端子台に商用電源をＯＮまたはＯＦＦを出力し他の換気装置と連動することができる吸気口を提供できる。
【０１０７】
また、本発明によれば、吸気口は屋外側に屋外アンモニアセンサーを設け、屋外側のアンモニア濃度を検出し、所定のアンモニア濃度以上になるとルーバー型電動シャッターの閉にし、所定のアンモニア濃度以下になると開すると共に、吸気口内に設けた端子台に商用電源を供給または遮断し他の換気装置と連動することができる吸気口を提供できる。
【０１０８】
また、本発明によれば、吸気口は屋外側に屋外煙センサーを設け、屋外側の煙量を検出し、所定の煙量以上になるとルーバー型電動シャッターの閉にし、所定の煙量以下になると開すると共に、吸気口内に設けた端子台に商用電源を供給または遮断し他の換気装置と連動することができる吸気口を提供できる。
【０１０９】
また、本発明によれば、吸気口は屋外側に屋外二酸化炭素センサーを設け、屋外側の二酸化炭素濃度を検出し、所定の二酸化炭素濃度以上になるとルーバー型電動シャッターの閉にし、所定の二酸化炭素濃度以下になると開すると共に、吸気口内に設けた端子台に商用電源を供給または遮断し他の換気装置と連動することができる吸気口を提供できる。
【０１１０】
また、本発明によれば、吸気口は屋外側に屋外一酸化炭素センサーを設け、屋外側の一酸化炭素濃度を検出し、所定の一酸化炭素濃度以上になるとルーバー型電動シャッターの閉にし、所定の一酸化炭素濃度以下になると開すると共に、吸気口内に設けた端子台に商用電源を供給または遮断し他の換気装置と連動することができる吸気口を提供できる。
【０１１１】
また、本発明によれば、吸気口は屋外側に屋外ＶＯＣセンサーを設け、屋外側のホルムアルデヒド濃度を検出し、所定のホルムアルデヒド濃度以上になるとルーバー型電動シャッターの閉にし、所定のホルムアルデヒド濃度以下になると開すると共に、吸気口内に設けた端子台に商用電源を供給または遮断し他の換気装置と連動することができる吸気口を提供できる。
【０１１２】
また、本発明によれば、吸気口は屋外側に屋外紛塵センサーを設け、屋外側の粉塵量を検出し、所定の粉塵量以上になるとルーバー型電動シャッターの閉にし、所定の粉塵量以下になると開すると共に、吸気口内に設けた端子台に商用電源を供給または遮断し他の換気装置と連動することができる吸気口を提供できる。
【０１１３】
また、本発明によれば、吸気口は屋外側に屋外湿度センサーを設け、屋外側の湿度を検出し、所定の湿度以上になるとルーバー型電動シャッターの閉にし、所定の湿度以下になると開すると共に、吸気口内に設けた端子台に商用電源を供給または遮断し他の換気装置と連動することができる吸気口を提供できる。
【０１１４】
また、本発明によれば、吸気口は屋内側に屋外可燃性ガスセンサーを設け、屋内側の可燃性ガス濃度を検出し、所定の可燃性ガス濃度以上になるとルーバー型電動シャッターの閉にし、所定の可燃性ガス濃度以下になると開すると共に、吸気口内に設けた端子台に商用電源を供給または遮断し他の換気装置と連動することができる吸気口を提供できる。
【発明を実施するための最良の形態】
【０１１５】
本発明の請求項１記載の発明は、下端を支点にして上方向へ閉じ、屋外側へ向けて開く複数の板を設けて外気を取り入れる吸気口の開閉を行うルーバー型電動シャッターと、その開閉動作を行うソレノイドと前記ソレノイドを制御する制御手段を設けることにより外風に影響なく開または閉できる作用を有する。
【０１１６】
また、前記ルーバー型電動シャッターの室内と屋外との空気の圧力差を検出できる位置に差圧センサーを設け、差圧センサーの濃度により自動的に前記ルーバー型電動シャッターを開または閉状態にすることができる作用を有する。
【０１１７】
また、前記ルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１１８】
また、前記吸気口に室内側の温度を検出できる位置に室内温度センサーを設け、室内温度が所定の温度以上になるとルーバー型電動シャッターを開にし、室内温度が所定の温度以下になるとルーバー型電動シャッターを閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１１９】
また、前記吸気口に人感センサーを設け、人を検出することによりルーバー型電動シャッターを開にし、人を非検出すると閉にすると共に、ルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２０】
また、前記吸気口に室内側のアンモニアを検出できる位置に室内アンモニアセンサーを設け、所定のアンモニアの濃度以上になるとルーバー型電動シャッターを開にし、所定のアンモニアの濃度以下になると閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２１】
また、前記吸気口に室内側の煙を検出できる位置に室内煙センサーを設け、所定の煙の濃度以上になるとルーバー型電動シャッターを開にし、所定の煙の濃度以下になると閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２２】
また、前記吸気口に室内側の二酸化炭素を検出できる位置に室内二酸化炭素センサーを設け、所定の二酸化炭素の濃度以上になるとルーバー型電動シャッターを開にし、所定の二酸化炭素の濃度以下になる閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２３】
また、前記吸気口に室内側の一酸化炭素を検出できる位置に室内一酸化炭素センサーを設け、所定の一酸化炭素の濃度以上になるとルーバー型電動シャッターを開にし、所定の一酸化炭素の濃度以下になると閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２４】
また、前記吸気口に室内側のホルムアルデヒドを検出できる位置に室内ＶＯＣセンサーを設け、所定のホルムアルデヒドの濃度以上になるとルーバー型電動シャッターを開にし、所定のホルムアルデヒドの濃度以下になると閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２５】
また、前記吸気口に室内側の粉塵を検出できる位置に室内粉塵センサーを設け、所定の粉塵以上の濃度になるとルーバー型電動シャッターを開にし、所定の粉塵濃度以下になると閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２６】
また、前記吸気口に室内側の湿度を検出できる位置に室内湿度センサーを設け、所定の湿度以上になるとルーバー型電動シャッターを開にし、所定の湿度以下になると閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２７】
また、前記吸気口に室内側の可燃性ガスを検出できる位置に室内可燃性ガスセンサーを設け、所定の可燃性ガス濃度以上になるとルーバー型電動シャッターを開にし、所定の可燃性ガス濃度以下になると閉にすると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２８】
また、前記吸気口に屋外側の温度を検出できる位置に屋外温度センサーを設け、屋外温度が所定の温度以上になるとルーバー型電動シャッターを開閉し、ルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１２９】
また、前記吸気口に屋外側のアンモニアを検出できる位置に屋外アンモニアセンサーを設け、屋外のアンモニア濃度が所定のアンモニアの濃度以上になるとルーバー型電動シャッターを閉にし、所定のアンモニアの濃度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３０】
また、前記吸気口に屋外側の煙を検出できる位置に煙を検出する屋外煙センサーを設け、屋外の煙濃度が所定の煙濃度以上になるとルーバー型電動シャッターを閉にし、所定の煙濃度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３１】
また、前記吸気口に屋外側の二酸化炭素を検出できる位置に屋外二酸化炭素を検出する二酸化炭素センサーを設け、屋外の二酸化炭素濃度が所定の二酸化炭素の濃度以上になるとルーバー型電動シャッターを閉にし、所定の二酸化炭素の濃度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３２】
また、前記吸気口に屋外側の一酸化炭素を検出できる位置に屋外一酸化炭素を検出する一酸化炭素センサーを設け、屋外の一酸化炭素濃度が所定の一酸化炭素濃度以上になるとルーバー型電動シャッターを閉にし、所定の一酸化炭素濃度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３３】
また、前記吸気口に屋外側のホルムアルデヒドを検出できる位置にホルムアルデヒドを検出する屋外ＶＯＣセンサーを設け、屋外のホルムアルデヒド濃度が所定のホルムアルデヒドの濃度以上になるとルーバー型電動シャッターを閉にし、所定のホルムアルデヒドの濃度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３４】
また、前記吸気口に屋外側の粉塵を検出できる位置に粉塵を検出する屋外粉塵センサーを設け、屋外の粉塵濃度が所定の粉塵以上の濃度になるとルーバー型電動シャッターを閉にし、所定の粉塵濃度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３５】
また、前記吸気口に屋外側の湿度を検出できる位置に湿度を検出する屋外湿度センサーを設け、屋外の湿度が所定の湿度以上になるとルーバー型電動シャッターを閉にし、所定の湿度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３６】
また、前記吸気口に屋外側の可燃性ガスを検出できる位置に屋外可燃性ガスを検出する可燃性ガスセンサーを設け、屋外の可燃性ガスが所定の可燃性ガス濃度以上になるとルーバー型電動シャッターを閉にし、所定の可燃性ガス濃度以下になると開すると共にルーバー型電動シャッターの開または閉の状態に対応した端子台を設け、前記ルーバー型電動シャッターの開のときは電源を供給し、前記ルーバー型電動シャッターの閉のときは電源を遮断する端子台を備え、前記端子台に換気装置を接続することにより前記ルーバー型電動シャッターの開または閉に伴い前記換気装置を制御することができる作用を有する。
【０１３７】
以下、図面を参照にして本発明の実施の形態について説明する。
【０１３８】
（実施の形態１）
図１に示すように、壁面１０１は、吸気口１を設ける穴３３を貫通させ、屋外側には、この穴３３を上方向から覆い、下面側を開口した屋外フード３４を設け、この屋外フード３４の下面から空気を吸気するように前記穴３３との位置を確保している。前記穴３３は、吸気口１を設け、この吸気口１は、内部に下端を支点３０にして上方向へ閉じ、屋外側へ向けて開く複数の板３１を設けて外気を取り入れる吸気口の開閉を行うルーバー型電動シャッター２と、その開閉動作を行うソレノイド３と前記ソレノイドを制御する制御手段４を設け、前記ソレノイド３は制御手段４に接続され、前記制御手段４の電源は、換気装置５と接続され、ＯＮ／ＯＦＦスイッチ６を介して商用電源７に接続されている。そして、前記ソレノイド３は、支点３０を返して板３１の開閉を行う作動子３２へ連結されている。
【０１３９】
上記構成おいて、前記ＯＮ／ＯＦＦスイッチ６をＯＮすると、前記換気装置５と前記吸気口１内部の前記制御手段４に前記商用電源７を供給し、前記換気装置５は前記商用電源７を供給されると運転を開始し室内の空気を排出し、前記制御手段４に前記商用電源７が供給されると前記ソレノイド３が前記ルーバー型電動シャッター２の作動子３２を引き上げ、板３１は屋外側へ倒れ開くこととなり、前記ルーバー型電動シャッター２を開状態にし、外気を室内に吸気することとなる。前記ＯＮ／ＯＦＦスイッチ６をＯＦＦすると、前記換気装置５は停止すると共に作動子３２は引き下げられ板３１は上方向へ閉じることとなり、前記ルーバー型電動シャッター２は閉状態になり外気の吸気を停止する。
【０１４０】
そして、閉じた状態では、屋外フード３４の下面側から屋外の強い風圧を受けても、板３１の下端に位置する支点３０により上方向へ閉じているので、風圧により板３１は、さらに閉じる方向へ圧力を受け、複数の板３１の合わせ目から外気が屋内へ侵入することを容易に防止することができる。
【０１４１】
また、開いた状態では、外側へ向けて倒れており、空気は板３１の上面を流れて屋内へ吸気される構成となっているため、屋外フード３４の下面側から屋外からの強い風圧を受けても開いた板３１はソレノイド３の保持力に支えられているので開状態を維持することができ、板３１の下面が風を遮り、屋内へ侵入する空気を制限することができる。
【０１４２】
特に、本実施の形態のルーバー型電動シャッター２の構成は、外風が外壁を伝わって吹き上がってくるような場合に外風の進路を遮ることに有効である。
【０１４３】
また、吸気口を上方向から覆い、下面側を開口した屋外フードとの組み合わせにおいて、顕著に外風を遮ることが可能となる。
【０１４４】
なお、前記制御手段４は、マイクロコンピュータやレギュレーターやトランジスターなどの電気部品から構成されている。
【０１４５】
なお、前記ソレノイド３は一例としたが、ステッピングモータやギヤードモータでも同様な効果が得られる。
【０１４６】
なお、前記ソレノイド３は一例として商用電源７を供給したが、前記商用電源７を平滑した直流電源やさらに低圧の直流電源を供給しても同様な効果が得られる。
【０１４７】
（実施の形態２）
実施の形態１と同一部分は同一番号を符し、詳細な説明は省略する。
【０１４８】
図２は、壁面１０１を貫通した穴に吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８は前記制御手段４に接続され、前記換気装置５の電源は、前記ＯＮ／ＯＦＦスイッチ６を介して前記商用電源７に接続され、前記制御手段４の電源は前記商用電源７に直接接続されている。
【０１４９】
上記構成おいて、初期状態である前記ＯＮ／ＯＦＦスイッチ６がＯＦＦ状態のときは、前記吸気口１内部に設けた前記ルーバー型電動シャッター２は閉状態となり、前記ＯＮ／ＯＦＦスイッチ６がＯＮになると、前記換気装置５は、前記商用電源７を供給されると運転を開始し室内の空気を排出し、前記吸気口１内部に設けた前記ルーバー型電動シャッター２は閉状態において室内側で前記換気装置５が排出しているの空気と屋外側の空気の差を前記差圧センサー８が検出した信号を前記制御手段４内部に設けたマイクロコンピュータ（図示せず）が判断し、室内側と屋外側の空気の圧力差が発生しているときは、前記制御手段４が前記ソレノイド３に前記商用電源７を供給し、前記ルーバー型電動シャッター２の作動子３２を引き上げ、前記ルーバー型電動シャッター２を開状態にすることで、外気を室内に吸気することができる吸気口１が得られる。
【０１５０】
（実施の形態３）
実施の形態１および形態２と同一部分は同一番号を符し、詳細な説明は省略する。
【０１５１】
図３に示すように、前記壁面１０１を貫通した穴３３に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と端子台９は前記制御手段４に接続され、前記端子台９は前記換気装置５に接続され、前記換気装置５の電源は、前記制御手段４の内部に設けたリレー１０により制御される。
【０１５２】
上記構成おいて、他の室内に換気システムを設置して使用した場合に、この換気システム（図示せず）が運転されて室内空気が排出されると、吸気口１内部で室内の空気と屋外側の空気の差を前記差圧センサー８が検出した信号を前記制御手段４内部に設けたマイクロコンピュータ（図示せず）が判断し、室内側と屋外側の空気の圧力差として室内の負圧状態が発生しているときは、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記換気装置５が運転を開始することにより前記換気システム（図示せず）による換気風量以上の外気を室内に吸気することができる吸気口１が得られる。
【０１５３】
なお、前記換気装置５への電源供給は前記リレー１０を使用しＯＮまたはＯＦＦしているが、トライアックやサイリスターやＳＳＲを使用しても同様の効果が得られる。
【０１５４】
なお、前記端子台９には換気装置５を接続して説明したが、暖房機器や空気清浄機や加湿器や乾燥機を接続することにより他機種の制御が可能となる。
【０１５５】
（実施の形態４）
実施の形態１および形態２と同一部分は同一番号を符し、詳細な説明は省略する。
【０１５６】
図４に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内温度を検出するための室内温度センサー１１は前記制御手段４に接続され、前記端子台９は前記換気装置５に接続され、前記換気装置５の電源は前記制御手段４の内部に設けた前記リレー１０により制御される。
【０１５７】
上記構成おいて、室内温度を検出する前記室内温度センサー１１が２８℃以上を前記制御手段４内部に設けたマイクロコンピュータ（図示せず）が検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができる前記吸気口１が得られる。
【０１５８】
なお、一例として室内検出温度を２８℃で説明したが、室内の大きさや室内の機密性や換気装置のファンによる風量により異なる。
【０１５９】
（実施の形態５）
実施の形態１および形態２と同一部分は同一番号を符し、詳細な説明は省略する。
【０１６０】
図５に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内に人が在室しているかを検出するための人感センサー１２は前記制御手段４に接続され、前記端子台９は前記換気装置５に接続され、前記換気装置５の電源は前記制御手段４の内部に設けた前記リレー１０により制御される。
【０１６１】
上記構成おいて、室内に人が在室していることを人感センサー１２の出力により、前記制御手段４内部に設けたマイクロコンピュータ（図示せず）が検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内に人がいないことを前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１６２】
なお、マイクロコンピュータ（図示せず）が人がいないことを検出したときに前記換気装置５を停止したが、室内に人がいないことを検出した後、５分後に前記端子台９の電源を遮断する制御でも良い。
【０１６３】
（実施の形態６）
実施の形態１および形態２と同一部分は同一番号を符し、詳細な説明は省略する。
【０１６４】
図６に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内のアンモニア濃度を検出するための室内アンモニアセンサー１３は前記制御手段４に接続され、前記端子台９は前記換気装置５に接続され、前記換気装置５の電源は前記制御手段４の内部に設けた前記リレー１０により制御される。
【０１６５】
上記構成おいて、室内のアンモニア濃度を室内アンモニアセンサー１３の出力により、前記制御手段４内部に設けたマイクロコンピュータ（図示せず）が１ｐｐｍ以上を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内のアンモニア濃度が１ｐｐｍ以下を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１６６】
なお、室内アンモニアセンサー１３は、室内のアンモニアの量を測定できればよく、一例として電量滴定型のアンモニアセンサーでもよい。
【０１６７】
なお、アンモニア検出濃度を一例としてビル管理法の１ｐｐｍとしたが、さまざまな環境により異なった濃度とする。
【０１６８】
（実施の形態７）
実施の形態１および形態２と同一部分は同一番号を符し、詳細な説明は省略する。
【０１６９】
図７に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内の煙を検出するための室内煙センサー１４は前記制御手段４に接続され、前記端子台９は前記換気装置５に接続され、前記換気装置５の電源は前記制御手段４の内部に設けた前記リレー１０により制御される。
【０１７０】
上記構成おいて、室内の煙を室内煙センサー１４の出力により、前記制御手段４内部に設けたマイクロコンピュータ（図示せず）が検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内に煙がないことを前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１７１】
なお、室内煙センサー１４は、室内の煙を検出できればよく、一例として赤外線や金属酸化半導体を用いたものなどがある。
【０１７２】
（実施の形態８）
実施の形態１および形態２と同一部分は同一番号を符し、詳細な説明は省略する。
【０１７３】
図８に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内の二酸化炭素濃度を検出するための室内二酸化炭素センサー１５は前記制御手段４に接続され、前記端子台９は前記換気装置５に接続され、前記換気装置５の電源は前記制御手段４の内部に設けた前記リレー１０により制御される。
【０１７４】
上記構成おいて、室内の二酸化炭素濃度を室内二酸化炭素センサー１５の出力により、前記制御手段４内部に設けたマイクロコンピュータ（図示せず）が１０００ｐｐｍ以上を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内の二酸化炭素濃度が１０００ｐｐｍ以下を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１７５】
なお、室内二酸化炭素センサー１５は、室内の二酸化炭素の量を測定できればよく、一例として固体電解質型のＣＯ↓２センサーでもよい。
【０１７６】
なお、二酸化炭素検出濃度を一例としてビル管理法の１０００ｐｐｍとしたが、さまざまな環境により異なった濃度とする。
【０１７７】
（実施の形態９）
実施の形態１および形態２と同一部分は同一番号を符し、詳細な説明は省略する。
【０１７８】
図９に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内の一酸化炭素濃度を検出するための室内一酸化炭素センサー１６は前記制御手段４に接続され、前記端子台９は前記換気装置５に接続され、前記換気装置５の電源は前記制御手段４の内部に設けた前記リレー１０により制御される。
【０１７９】
上記構成おいて、室内の一酸化炭素濃度を室内一酸化炭素センサー１６の出力により、前記制御手段４内部に設けたマイクロコンピュータ（図示せず）が１０ｐｐｍ以上を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内の一酸化炭素濃度が１０ｐｐｍ以下を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１８０】
なお、室内一酸化炭素センサー１６は、室内の一酸化炭素の量を測定できればよく、一例として半導体型のＣＯセンサーでもよい。
【０１８１】
なお、一酸化炭素検出濃度を一例としてビル管理法の１０ｐｐｍとしたが、さまざまな環境により異なった濃度とする。
【０１８２】
（実施の形態１０）
実施の形態１および形態２と同一部分は同一番号を符し、詳細な説明は省略する。
【０１８３】
図１０に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内のホルムアルデヒド濃度を検出するための室内ＶＯＣセンサー１７は前記制御手段４に接続され、前記端子台９は前記換気装置５に接続され、前記換気装置５の電源は前記制御手段４の内部に設けた前記リレー１０により制御される。
【０１８４】
上記構成おいて、室内のホルムアルデヒド濃度を室内ＶＯＣセンサー１７の出力により、前記制御手段４内部に設けたマイクロコンピュータ（図示せず）が０．０８ｐｐｍ以上を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内のホルムアルデヒド濃度が０．０８ｐｐｍ以下を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１８５】
なお、室内ＶＯＣセンサー１７は、室内のＶＯＣの量を測定できればよく、一例として降雨分子薄膜型や抵抗変化型のＶＯＣセンサーでもよい。
【０１８６】
なお、ＶＯＣ検出濃度を一例としてビル管理法の０．０８ｐｐｍとしたが、さまざまな環境により異なった濃度とする。
【０１８７】
（実施の形態１１）
実施の形態１および形態２と同一部分は同一番号を符し、詳細な説明は省略する。
【０１８８】
図１１に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内の粉塵を検出するための室内粉塵センサー１８は前記制御手段４に接続され、前記端子台９は前記換気装置５に接続され、前記換気装置５の電源は前記制御手段４の内部に設けた前記リレー１０により制御される。
【０１８９】
上記構成おいて、室内の粉塵を室内粉塵センサー１８の出力により、前記制御手段４内部に設けたマイクロコンピュータ（図示せず）が検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内に粉塵がないことを前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１９０】
（実施の形態１２）
実施の形態１および形態２と同一部分は同一番号を符し、詳細な説明は省略する。
【０１９１】
図１２に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内の湿度を検出するための室内湿度センサー１９は前記制御手段４に接続され、前記端子台９は前記換気装置５に接続され、前記換気装置５の電源は前記制御手段４の内部に設けた前記リレー１０により制御される。
【０１９２】
上記構成おいて、室内の湿度を室内湿度センサー１９の出力により、前記制御手段４内部に設けたマイクロコンピュータ（図示せず）が５５％以上を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内の湿度が５５％以下を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１９３】
なお、室内湿度センサー１９は、室内の湿度を検出できればよく、一例として電気容量式湿度センサーを用いて室内の湿度を検出する。
【０１９４】
なお、検出湿度の５５％は一例であり、室内の大きさや地域環境により異なるものである。
【０１９５】
（実施の形態１３）
実施の形態１および形態２と同一部分は同一番号を符し、詳細な説明は省略する。
【０１９６】
図１３に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と室内の可燃性ガスを検出するための室内可燃性ガスセンサー２０は前記制御手段４に接続され、前記端子台９は前記換気装置５に接続され、前記換気装置５の電源は前記制御手段４の内部に設けた前記リレー１０により制御される。
【０１９７】
上記構成おいて、室内の可燃性ガスを室内可燃性ガスセンサー２０の出力により、前記制御手段４内部に設けたマイクロコンピュータ（図示せず）が２０％以上の濃度を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、室内の可燃性ガス濃度が２０％以下を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０１９８】
なお、可燃性ガス濃度の２０％は一例であり、室内の大きさや地域環境により異なるものである。
【０１９９】
（実施の形態１４）
実施の形態１および形態２と同一部分は同一番号を符し、詳細な説明は省略する。
【０２００】
図１４に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外温度を検出するための屋外温度センサー２１は前記制御手段４に接続され、前記端子台９は前記換気装置５に接続され、前記換気装置５の電源は前記制御手段４の内部に設けた前記リレー１０により制御される。
【０２０１】
上記構成おいて、屋外温度を検出する前記屋外温度センサー２１が２８℃以上を前記制御手段４内部に設けたマイクロコンピュータ（図示せず）が検出すると、前記制御手段４が前記ソレノイド３に商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止になり、屋外温度を検出する前記屋外温度センサー２１が２８℃以下を前記制御手段４内部に設けたマイクロコンピュータ（図示せず）が検出すると、前記制御手段４が前記ソレノイド３に商用電源７を供給し前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができる前記吸気口１が得られる。
【０２０２】
なお、一例として屋外検出温度を２８℃で説明したが、屋外の環境により異なる。
【０２０３】
（実施の形態１５）
実施の形態１および形態２と同一部分は同一番号を符し、詳細な説明は省略する。
【０２０４】
図１５に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外のアンモニア濃度を検出するための屋外アンモニアセンサー２２は前記制御手段４に接続され、前記端子台９は前記換気装置５に接続され、前記換気装置５の電源は前記制御手段４の内部に設けた前記リレー１０により制御される。
【０２０５】
上記構成おいて、屋外のアンモニア濃度を屋外アンモニアセンサー２２の出力により、前記制御手段４内部に設けたマイクロコンピュータ（図示せず）が１ｐｐｍ以下を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、屋外のアンモニア濃度が１ｐｐｍ以上を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２０６】
なお、屋外アンモニアセンサー２２は、屋外のアンモニアの量を測定できればよく、一例として電量滴定型のアンモニアセンサーでもよい。
【０２０７】
なお、アンモニア検出濃度を一例として１ｐｐｍとしたが、さまざまな環境により異なった濃度とする。
【０２０８】
（実施の形態１６）
実施の形態１および形態２と同一部分は同一番号を符し、詳細な説明は省略する。
【０２０９】
図１６に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外の煙を検出するための屋外煙センサー２３は前記制御手段４に接続され、前記端子台９は前記換気装置５に接続され、前記換気装置５の電源は前記制御手段４の内部に設けた前記リレー１０により制御される。
【０２１０】
上記構成おいて、屋外の煙を屋外煙センサー２３の出力により、前記制御手段４内部に設けたマイクロコンピュータ（図示せず）が煙がないことを検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、また、屋外に煙があることを前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２１１】
なお、屋外煙センサー２３は、屋外の煙を検出できればよく、一例として赤外線や金属酸化半導体を用いたものなどがある。
【０２１２】
（実施の形態１７）
実施の形態１および形態２と同一部分は同一番号を符し、詳細な説明は省略する。
【０２１３】
図１７に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外の二酸化炭素濃度を検出するための屋外二酸化炭素センサー２４は前記制御手段４に接続され、前記端子台９は前記換気装置５に接続され、前記換気装置５の電源は前記制御手段４の内部に設けた前記リレー１０により制御される。
【０２１４】
上記構成おいて、屋外の二酸化炭素濃度を屋外二酸化炭素センサー２４の出力により、前記制御手段４内部に設けたマイクロコンピュータ（図示せず）が１０００ｐｐｍ以下を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、屋外の二酸化炭素濃度が１０００ｐｐｍ以上を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２１５】
なお、屋外二酸化炭素センサー２４は、屋外の二酸化炭素の量を測定できればよく、一例として固体電解質型のＣＯ↓２センサーでもよい。
【０２１６】
なお、二酸化炭素検出濃度を一例として１０００ｐｐｍとしたが、さまざまな環境により異なった濃度とする。
【０２１７】
（実施の形態１８）
実施の形態１および形態２と同一部分は同一番号を符し、詳細な説明は省略する。
【０２１８】
図１８に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外の一酸化炭素濃度を検出するための屋外一酸化炭素センサー２５は前記制御手段４に接続され、前記端子台９は前記換気装置５に接続され、前記換気装置５の電源は前記制御手段４の内部に設けた前記リレー１０により制御される。
【０２１９】
上記構成おいて、屋外の一酸化炭素濃度を屋外一酸化炭素センサー２５の出力により、前記制御手段４内部に設けたマイクロコンピュータ（図示せず）が１０ｐｐｍ以下を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、屋外の一酸化炭素濃度が１０ｐｐｍ以上を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２２０】
なお、屋外一酸化炭素センサー２５は、室内の一酸化炭素の量を測定できればよく、一例として半導体型のＣＯセンサーでもよい。
【０２２１】
なお、一酸化炭素検出濃度を一例として１０ｐｐｍとしたが、さまざまな環境により異なった濃度とする。
【０２２２】
（実施の形態１９）
実施の形態１および形態２と同一部分は同一番号を符し、詳細な説明は省略する。
【０２２３】
図１９に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外のホルムアルデヒド濃度を検出するための屋外ＶＯＣセンサー２６は前記制御手段４に接続され、前記端子台９は前記換気装置５に接続され、前記換気装置５の電源は前記制御手段４の内部に設けた前記リレー１０により制御される。
【０２２４】
上記構成おいて、屋外のホルムアルデヒド濃度を屋外ＶＯＣセンサー２６の出力により、前記制御手段４内部に設けたマイクロコンピュータ（図示せず）が０．０８ｐｐｍ以下を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、屋外のホルムアルデヒド濃度が０．０８ｐｐｍ以上を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２２５】
なお、屋外ＶＯＣセンサー２６は、室内のＶＯＣの量を測定できればよく、一例として降雨分子薄膜型や抵抗変化型のＶＯＣセンサーでもよい。
【０２２６】
なお、ＶＯＣ検出濃度を一例として０．０８ｐｐｍとしたが、さまざまな環境により異なった濃度とする。
【０２２７】
（実施の形態２０）
実施の形態１および形態２と同一部分は同一番号を符し、詳細な説明は省略する。
【０２２８】
図２０に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外の粉塵を検出するための屋外粉塵センサー２７は前記制御手段４に接続され、前記端子台９は前記換気装置５に接続され、前記換気装置５の電源は前記制御手段４の内部に設けた前記リレー１０により制御される。
【０２２９】
上記構成おいて、屋外の粉塵を屋外粉塵センサー２７の出力により、前記制御手段４内部に設けたマイクロコンピュータ（図示せず）が粉塵のないことを検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、屋外に粉塵があることを前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２３０】
（実施の形態２１）
実施の形態１および形態２と同一部分は同一番号を符し、詳細な説明は省略する。
【０２３１】
図２１に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外の湿度を検出するための屋外湿度センサー２８は前記制御手段４に接続され、前記端子台９は前記換気装置５に接続され、前記換気装置５の電源は前記制御手段４の内部に設けた前記リレー１０により制御される。
【０２３２】
上記構成おいて、屋外の湿度を屋外湿度センサー２８の出力により、前記制御手段４内部に設けたマイクロコンピュータ（図示せず）が５５％以下を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、屋外の湿度が５５％以上を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２３３】
なお、屋外湿度センサー２８は、屋外の湿度を検出できればよく、一例として電気容量式湿度センサーを用いて室内の湿度を検出する。
【０２３４】
なお、検出湿度の５５％は一例であり、屋外の地域環境により異なるものである。
【０２３５】
（実施の形態２２）
実施の形態１および形態２と同一部分は同一番号を符し、詳細な説明は省略する。
【０２３６】
図２２に示すように、前記壁面１０１を貫通した穴に前記吸気口１を設置し、前記吸気口１内部には、前記ルーバー型電動シャッター２と前記ルーバー型電動シャッター２を開または閉するための前記ソレノイド３と前記ルーバー型電動シャッター２の室内側と屋外側の空気の圧力差を検出できる位置に前記差圧センサー８を設け、前記ソレノイド３と前記差圧センサー８と前記端子台９と屋外の可燃性ガスを検出するための屋外可燃性ガスセンサー２９は前記制御手段４に接続され、前記端子台９は前記換気装置５に接続され、前記換気装置５の電源は前記制御手段４の内部に設けた前記リレー１０により制御される。
【０２３７】
上記構成おいて、屋外の可燃性ガスを屋外可燃性ガスセンサー２９の出力により、前記制御手段４内部に設けたマイクロコンピュータ（図示せず）が２０％以下を検出すると、前記制御手段４が前記ソレノイド３に商用電源７を供給し、前記ルーバー型電動シャッター２の作動子３２を引き上げ、前記ルーバー型電動シャッター２を開状態になり、さらに前記制御手段４の内部に設けた前記リレー１０がＯＮし、前記端子台９に前記商用電源７が出力され、前記端子台９に接続された前記換気装置５が運転を開始する。前記換気装置５が運転を開始することにより外気を室内に吸気することができ、屋外の可燃性ガス濃度が２０％以上を前記制御手段４内部に設けたマイクロコンピュータ（図示せず）が検出すると、前記制御手段４が前記ソレノイド３の商用電源７を遮断し、前記ルーバー型電動シャッター２を閉状態にし、さらに前記制御手段４の内部に設けた前記リレー１０がＯＦＦし、前記端子台９の前記商用電源７を遮断し前記換気装置５が運転を停止する。
【０２３８】
なお、可燃性ガス濃度の２０％は一例であり、屋外の地域環境により異なるものである。
【産業上の利用可能性】
【０２３９】
ルーバー型電動シャッターの室内と屋外との空気の圧力差を検出できる位置に差圧センサーを設け、差圧センサーの濃度により自動的に前記ルーバー型電動シャッターを開または閉状態にすることができる吸気口に適用できる。
【図面の簡単な説明】
【０２４０】
【図１】本発明の実施の形態１の構成図
【図２】本発明の実施の形態２の構成図
【図３】本発明の実施の形態３の構成図
【図４】本発明の実施の形態４の構成図
【図５】本発明の実施の形態５の構成図
【図６】本発明の実施の形態６の構成図
【図７】本発明の実施の形態７の構成図
【図８】本発明の実施の形態８の構成図
【図９】本発明の実施の形態９の構成図
【図１０】本発明の実施の形態１０の構成図
【図１１】本発明の実施の形態１１の構成図
【図１２】本発明の実施の形態１２の構成図
【図１３】本発明の実施の形態１３の構成図
【図１４】本発明の実施の形態１４の構成図
【図１５】本発明の実施の形態１５の構成図
【図１６】本発明の実施の形態１６の構成図
【図１７】本発明の実施の形態１７の構成図
【図１８】本発明の実施の形態１８の構成図
【図１９】本発明の実施の形態１９の構成図
【図２０】本発明の実施の形態２０の構成図
【図２１】本発明の実施の形態２１の構成図
【図２２】本発明の実施の形態２２の構成図
【図２３】従来の換気扇の構成図
【符号の説明】
【０２４１】
１      吸気口
２      ルーバー型電動シャッター
３      ソレノイド
４      制御手段
５      換気装置
６      ＯＮ／ＯＦＦスイッチ
７      商用電源
８      差圧センサー
９      端子台
１０    リレー
１１    室内温度センサー
１２    人感センサー
１３    室内アンモニアセンサー
１４    室内煙センサー
１５    室内二酸化炭素センサー
１６    室内一酸化炭素センサー
１７    室内ＶＯＣセンサー
１８    室内粉塵センサー
１９    室内湿度センサー
２０    室内可燃性ガスセンサー
２１    屋外温度センサー
２２    屋外アンモニアセンサー
２３    屋外煙センサー
２４    屋外二酸化炭素センサー
２５    屋外一酸化炭素センサー
２６    屋外ＶＯＣセンサー
２７    屋外粉塵センサー
２８    屋外湿度センサー
２９    屋外可燃性ガスセンサー
１０１  壁面
１０２  ダクト
１０３  吸気枠
１０４  開閉羽根
１０５  回転軸
１０６  形状記憶合金性コイルスプリング
１０７  開閉ノブ
【図１】
2009144965.tif 000003
【図２】
2009144965.tif 000004
【図３】
2009144965.tif 000005
【図４】
2009144965.tif 000006
【図５】
2009144965.tif 000007
【図６】
2009144965.tif 000008
【図７】
2009144965.tif 000009
【図８】
2009144965.tif 000010
【図９】
2009144965.tif 000011
【図１０】
2009144965.tif 000012
【図１１】
2009144965.tif 000013
【図１２】
2009144965.tif 000014
【図１３】
2009144965.tif 000015
【図１４】
2009144965.tif 000016
【図１５】
2009144965.tif 000017
【図１６】
2009144965.tif 000018
【図１７】
2009144965.tif 000019
【図１８】
2009144965.tif 000020
【図１９】
2009144965.tif 000021
【図２０】
2009144965.tif 000022
【図２１】
2009144965.tif 000023
【図２２】
2009144965.tif 000024
【図２３】
2009144965.tif 000025